(57)【要約】【課題】本発明の目的は、強度を向上可能なファンモータ台を提供することである。【解決手段】ファンモータ台２０は、モータ保持部２２と、支持部２１と、を備える。モータ保持部２２は、ファン１５の駆動モータ１６を支持する。支持部２１は、モータ保持部２２に接続されて、冷凍装置ユニットの底板１４から天板１３に向かって延びる。また、支持部２１は、平板状の第１平面２１ａ−１を有する。第１平面２１ａ−１は、モータ保持部２２の近傍において、その表面に直交する方向視において曲げられた曲げ部分１０４ａを含む。曲げ部分１０４ａは、曲げる際に圧縮応力が作用する側が予め切り欠かれた切り欠き縁１０７ａを有している。切り欠き縁１０７ａは、第１平面２１ａ−１の幅寸法Ｌよりも大きい半径Ｒの円弧に沿っている。【選択図】図５
2016090085.tif 000002
【特許請求の範囲】
【請求項１】
ファン（１５）の駆動モータ（１６）を支持するモータ保持部（２２）と、
前記モータ保持部に接続されて、冷凍装置ユニット（１００）の底板（１４）から天板（１３）に向かって延び、平板状の第１平面（２１ａ−１）を有する支持部（２１）と、
を備え、
前記第１平面は、前記モータ保持部の近傍において、その表面に直交する方向視において曲げられた曲げ部分（１０４ａ）を含み、前記曲げ部分は、曲げる際に圧縮応力が作用する側が予め切り欠かれた切り欠き縁（１０７ａ）を有しており、
前記切り欠き縁は、前記第１平面の幅寸法Ｌよりも大きい半径Ｒの円弧に沿っている、
ファンモータ台（２０）。
【請求項２】
前記切り欠き縁の円弧の半径Ｒは、前記第１平面の幅寸法Ｌの１．２倍以上である、請求項１に記載のファンモータ台。
【請求項３】
前記切り欠き縁の円弧の半径Ｒは、前記第１平面の幅寸法Ｌの１．５倍以下である、請求項２に記載のファンモータ台。
【請求項４】
前記切り欠き縁の円弧の中心は、前記第１平面の外に位置する、請求項１に記載のファンモータ台。
【請求項５】
前記切り欠き縁と、前記切り欠き縁に対向する第１平面の辺との間の最短距離（Ｄ）は、前記第１平面の幅寸法Ｌの１／２〜３／４である、請求項１に記載のファンモータ台。
【請求項６】
前記支持部は、前記モータ保持部の両側において前記底板から前記天板に向かって延びる第１支持部（２１ａ）及び第２支持部（２１ｂ）を含み、
前記曲げ部分は、前記第１支持部及び前記第２支持部において、前記モータ保持部の上下に設けられている、請求項１に記載のファンモータ台。
【請求項７】
前記支持部は、前記モータ保持部に接続される第２平面（２１ａ−２）をさらに有し、
前記第１平面と前記第２平面とがＬ字状をなしており、前記第１平面の前記第２平面と対向する辺は自由端であり、
前記切り欠き縁は、前記第１平面の自由端（１１１）に形成されている、請求項１に記載のファンモータ台。
【請求項８】
前記切り欠き縁には絞り（１０９）が形成されている、請求項１に記載のファンモータ台。
【発明の詳細な説明】
【技術分野】
【０００１】
本発明は、ファンモータ台に関する。
【背景技術】
【０００２】
空気調和機の室外機には、室外機の背面側から前面側に向かう空気流を生成するファンが設けられている。ファンには複数枚のファン翼が設けられている。ファンはファンモータ台に固定されている。ファンモータ台は、モータ保持部と、上下方向に延びる支持部材とを有する。そして、ファンのファンモータがモータ保持部に取り付けられることで、ファンがファンモータ台に固定される。
【０００３】
ファンの安定的な固定及び回転のためには、ファン及びファンモータと、ファンモータ台のモータ保持部とが近接していると好ましい。ここで、ファンによる送風性能を向上するためには、ファン翼の奥行きを大きくする必要がある。つまり、ファン翼が室外機の背面側に向かって延びている必要がある。よって、ファンモータ台とファン翼との接触を回避するために、モータ保持部を支持部材よりも前面側に突出させる必要がある。
【０００４】
特許文献１（特開２０１２−１３３９０号公報）には、ファンがファンモータ台に取り付けられた構成が開示されている。特許文献１では、支持部材は、その上端部及び下端部が概ね９０°に折り曲げられている。これにより、モータ保持部は支持部材から前面側に突出する。よって、ファンは、室外機の前面側においてファンモータ台に固定される。特許文献１では、支持部材を折り曲げる際の撓みを無くすために、支持部材の上端部及び下端部において、折り曲げ部分の内側を大きく円形状に切り欠いている。
【発明の概要】
【発明が解決しようとする課題】
【０００５】
しかし、特許文献１の支持部材は、その上端部及び下端部において折り曲げ部分が大きく切り欠かれているため、支持部材の強度が低下している。つまり、支持部材は概ね９０°の角度で折り曲げられることで急激に形状が変わり、曲げ部分に応力が集中する。この応力が集中する曲げ部分が大きく切り欠かれているため、支持部材の強度が低下している。
【０００６】
そこで、本発明の目的は、強度を向上可能なファンモータ台を提供することを目的とする。
【課題を解決するための手段】
【０００７】
本発明の第１観点に係るファンモータ台は、モータ保持部と、支持部と、を備える。モータ保持部は、ファンの駆動モータを支持する。支持部は、モータ保持部に接続されて、冷凍装置ユニットの底板から天板に向かって延びる。また、支持部は、平板状の第１平面を有する。第１平面は、モータ保持部の近傍において、その表面に直交する方向視において曲げられた曲げ部分を含む。曲げ部分は、曲げる際に圧縮応力が作用する側が予め切り欠かれた切り欠き縁を有している。切り欠き縁は、第１平面の幅寸法Ｌよりも大きい半径Ｒの円弧に沿っている。
【０００８】
上記構成によれば、第１平面は、この曲げる際に圧縮応力が作用する側において、第１平面を切り欠いた切り欠き縁を有している。特に、切り欠き縁は、第１平面の幅寸法Ｌよりも大きい半径Ｒの円弧に沿っている（切り欠き縁の円弧の半径Ｒ＞第１平面の幅寸法Ｌ）。なお、第１平面を切り欠いて切り欠き縁を形成する工程は、第１平面を曲げる工程よりも先に行われている。そのため、第１平面を曲げて曲げ部分を形成する場合、圧縮応力を円弧状の切り欠き縁によって分散することができる。これにより、ファンモータ台の強度を向上することができる。
【０００９】
本発明の第２観点に係るファンモータ台は、第１観点に係るファンモータ台において、切り欠き縁の円弧の半径Ｒは、第１平面の幅寸法Ｌの１．２倍以上である。
【００１０】
上記構成により、曲げ加工時において、切り欠き縁における圧縮応力をより分散させることができる。
【００１１】
本発明の第３観点に係るファンモータ台は、第２観点に係るファンモータ台において、切り欠き縁の円弧の半径Ｒは、第１平面の幅寸法Ｌの１．５倍以下である。
【００１２】
上記構成により、第１平面の強度の低下を抑制することができる。
【００１３】
本発明の第４観点に係るファンモータ台は、第１観点に係るファンモータ台において、切り欠き縁の円弧の中心は、第１平面の外に位置する。
【００１４】
上記構成により、曲げ部分になだらかな円弧状の切り欠き縁が形成される。よって、曲げ加工時において、なだらかな円弧状の切り欠き縁によって、圧縮応力をより分散させることができる。
【００１５】
本発明の第５観点に係るファンモータ台は、第１観点に係るファンモータ台において、切り欠き縁と、切り欠き縁に対向する第１平面の辺との間の最短距離は、第１平面の幅寸法Ｌの１／２〜３／４である。
【００１６】
上記構成により、第１平面の幅をある程度残して強度を高めつつ、曲げ部分を形成する際の圧縮応力を分散することができる。
【００１７】
本発明の第６観点に係るファンモータ台は、第１観点に係るファンモータ台において、支持部は、モータ保持部の両側において底板から天板に向かって延びる第１支持部及び第２支持部を含む。曲げ部分は、第１支持部及び第２支持部において、モータ保持部の上下に設けられている。
【００１８】
上記構成により、ファン翼と、第１支持部及び第２支持部との接触を回避することができる。そして、ファン翼を背面側に延ばして送風性能を向上することができる。
【００１９】
本発明の第７観点に係るファンモータ台は、第１観点に係るファンモータ台において、支持部は、モータ保持部に接続される第２平面をさらに有する。第１平面と第２平面とがＬ字状をなしており、第１平面の第２平面と対向する辺は自由端である。ここで、切り欠き縁は、第１平面の自由端に形成されている。
【００２０】
上記構成により、第１平面の自由端を円弧状に切り欠けばよいので、切り欠く際に邪魔になる部材がなく、切り欠き縁を容易に形成できる。
【００２１】
本発明の第８観点に係るファンモータ台は、第１観点に係るファンモータ台において、切り欠き縁には絞りが形成されている。
【００２２】
上記のように絞りが形成されることで、切り欠き縁が平面の場合よりも第１平面の強度を高めることができる。
【発明の効果】
【００２３】
本発明の第１観点に係るファンモータ台では、圧縮応力を円弧状の切り欠き縁によって分散することができる。これにより、ファンモータ台の強度を向上することができる。
【００２４】
本発明の第２観点に係るファンモータ台では、曲げ加工時において、切り欠き縁における圧縮応力をより分散させることができる。
【００２５】
本発明の第３観点に係るファンモータ台では、第１平面の強度の低下を抑制することができる。
【００２６】
本発明の第４観点に係るファンモータ台では、圧縮応力をより分散させることができる。
【００２７】
本発明の第５観点に係るファンモータ台では、第１平面の幅をある程度残して強度を高めることができる。
【００２８】
本発明の第６観点に係るファンモータ台は、ファン翼を背面側に延ばして送風性能を向上することができる。
【００２９】
本発明の第７観点に係るファンモータ台は、切り欠き縁を容易に形成できる。
【００３０】
本発明の第８観点に係るファンモータ台は、切り欠き縁が平面の場合よりも第１平面の強度を高めることができる。
【図面の簡単な説明】
【００３１】
【図１】本発明の実施形態に係る空気調和装置１０００の外観図である。
【図２】前板１１及び右側板１２が外された室外ユニット１００の正面図である。
【図３】前板１１、右側板１２及び天板１３が外された室外ユニット１００の正面図である。
【図４】駆動モータ１６を介してファン１５が取り付けられたファンモータ台２０の側面図である。
【図５】ファンモータ台２０の全体斜視図である。
【図６】第１支持部２１ａのモータ保持部２２近傍の側面図である。
【図７】切り欠き縁１０７ａの拡大図である。
【発明を実施するための形態】
【００３２】
以下、図面を参照しながら、本発明の実施形態について説明する。なお、以下の実施形態は、本発明の具体例であって、本発明の技術的範囲を限定するものではない。
【００３３】
＜実施形態＞
以下では、冷凍装置ユニットの一例である室外ユニットを例に挙げて本実施形態を説明する。なお、冷凍装置ユニットは、室外ユニットの他、給湯器などの熱交換を行うあらゆる装置を含む。
【００３４】
（１）室外ユニット１００の全体構成
まず、空気調和装置１０００に含まれる室外ユニット１００の全体構成について説明する。
【００３５】
図１は、本発明の実施形態に係る空気調和装置１０００の外観図である。図２は、前板１１及び右側板１２が外された室外ユニット１００の正面図である。図３は前板１１、右側板１２及び天板１３が外された室外ユニット１００の正面図である。図４は、駆動モータ１６を介してファン１５が取り付けられたファンモータ台２０の側面図である。
【００３６】
尚、以下の説明においては、「上」、「下」、「左」、「右」、「正面」、「前」、「背面」、「後」等の方向を示す表現を適宜用いている。これらの方向は、図１等に示すように室外ユニット１００の天板１３が見えるように室外に取り付けられ、通常使用される状態での各方向を表す。「正面」と「前」とは同方向である。また、「背面」と「後」とは同方向である。
【００３７】
図１の空気調和装置１０００は、室外ユニット１００と、室内ユニット２００とに分かれて構成されている。室内ユニット２００は、空気調和を行う対象空間である室内の壁面等に取り付けられている。一方、室外ユニット１００は、室内の外部に設置されるものである。室外ユニット１００は、冷媒連絡配管３００を介して室内ユニット２００と接続されている。以下に、室外ユニット１００について説明する。
【００３８】
（１−１）室外ユニット１００の外側面
室外ユニット１００は、図１〜図３に示すように、外側面を形成する、前板１１、右側板１２、天板１３及び底板１４を有する。
【００３９】
天板１３は、室外ユニット１００の上面に配置され、室外ユニット１００の内部空間の上面を覆う。天板１３は板金で形成されている。
【００４０】
前板１１は、室外ユニット１００の前面に設けられている。前板１１は、例えばポリプロピレンなどの樹脂から形成されている。前板１１には、複数のスリット状の吹出し孔１１ａが設けられている。ファン１５（図４）の回転により室外ユニット１００の内部空間に取り込まれた空気流は、吹出し孔１１ａを通って室外ユニット１００の外部へ排出される。
【００４１】
右側板１２は、室外ユニット１００の内部空間の右側を覆い、板金で形成されている。
【００４２】
底板１４は、室外ユニット１００の下面に配置され、室外ユニット１００の内部空間の下方を覆う。底板１４は板金で形成されている。
【００４３】
（１−２）室外ユニット１００の内部空間
室外ユニット１００の内部空間には、ファン１５（図４）、駆動モータ１６、仕切板１８、ファンモータ台２０、室外熱交換器３０、圧縮機４０及び電装品箱５０等が配置されている。
【００４４】
仕切板１８は、底板１４に対して垂直に設けられている。仕切板１８は、室外ユニット１００の内部空間を機械室Ｓ１と送風機室Ｓ２とに仕切る。機械室Ｓ１は、室外ユニット１００の正面視において仕切板１８の右側に配置される。送風機室Ｓ２は、室外ユニット１００の正面視において仕切板１８の左側に配置される。機械室Ｓ１には、図２、図３に示すように、圧縮機４０及び電装品箱５０などの風雨から保護する必要のある機械部品の多くが収容される。送風機室Ｓ２は、室外ユニット１００の外部から取り込まれた空気が、室外熱交換器３０を通って室外へと排出される空間である。
【００４５】
ファンモータ台２０は、送風機室Ｓ２に配置されている。より具体的には、ファンモータ台２０は、送風機室Ｓ２のうち室外熱交換器３０の前方、すなわち空気流れの下流側に位置している。また、ファンモータ台２０は、正面視において、送風機室Ｓ２の略中央に配置されている。ファンモータ台２０は、底板１４から天板１３に至るまで延びている。ファンモータ台２０の中央部１０５には、モータ保持部２２が設けられている。モータ保持部２２には、駆動モータ１６が取り付けられる。ファンモータ台２０の詳細については後述する。
【００４６】
駆動モータ１６はファン１５を回転させるための駆動部である。図２，図３に示すように駆動モータ１６は、ファンモータ台２０のモータ保持部２２に取り付けられている。図４に示すように、駆動モータ１６の中心には、前後方向に平行な回転軸１６ａが設けられている。この回転軸１６ａにファン１５が固定される。駆動モータ１６は、所定の回転数で回転軸１６ａを回転させる。これによりファン１５が所定の回転数で回転する。
【００４７】
ファン１５は、例えば複数のファン翼１５ａを有するプロペラファンである。ファン１５は、駆動モータ１６の回転軸１６ａに固定されている。駆動モータ１６が駆動することで、ファン１５は回転軸１６ａを中心に回転駆動される。このファン１５の回転駆動により空気流が生成される。この空気流によって、室外ユニット１００周囲の空気が、室外ユニット１００の背面側から取り込まれ、室外熱交換器３０を通って送風機室Ｓ２へと取り込まれる。送風機室Ｓ２へと取り込まれた空気は、その後、前板の吹出し孔１１ａ等を通って、室外ユニット１００の外部へと排出される。
【００４８】
室外熱交換器３０は、通過する空気との間で熱交換を行う。室外熱交換器３０は、送風機室Ｓ２の外側面に沿って配置されている。より具体的には、室外熱交換器３０は、略Ｌ字形状の形状をなしており、室外ユニット１００の背面に沿う部分と、背面に沿う部分から左側に屈曲して延在する部分と、を有する。
【００４９】
圧縮機４０は、機械室Ｓ１に配置されており底板１４に固定される。圧縮機４０は、冷媒を圧縮するためのものであって、圧縮機モータ（図示せず）によって駆動される。
【００５０】
電装品箱５０は、機械室Ｓ１の上部に、仕切板１８に取り付けられて配置される。電装品箱５０には、各種装置の制御を行うためのマイクロコンピュータチップや制御プログラムを格納するメモリなどの電子部品が内装されている。
【００５１】
（２）ファンモータ台２０の詳細構成
次に、ファンモータ台２０の詳細構成について説明する。
【００５２】
図５は、ファンモータ台２０の全体斜視図である。図６は、第１支持部２１ａのモータ保持部２２近傍の側面図である。図７は、切り欠き縁１０７ａの拡大図である。
【００５３】
ファンモータ台２０は、支持部２１と、モータ保持部２２と、天板対向部２３と、接触部２４と、前延長部２５と、底板対向部２６と、を含む。
【００５４】
（２−１）支持部２１
（ａ）支持部２１の形状
図２、図３に示すように、支持部２１は、室外ユニット１００の底板１４から天板１３に向かって延びる。支持部２１は、第１支持部２１ａ及び第２支持部２１ｂを含む。第１支持部２１ａ及び第２支持部２１ｂは、ファンモータ台２０の上下方向の中央部１０５においてモータ保持部２２の両側を支持する。具体的には、第１支持部２１ａは、ファンモータ台２０の正面視において、モータ保持部２２の右側に配置されている。一方、第２支持部２１ｂは、ファンモータ台２０の正面視において、モータ保持部２２の左側に配置されている。そして、第１支持部２１ａ及び第２支持部２１ｂの上下方向の中央部１０５がモータ保持部２２の左右両端に接続される。
【００５５】
図５に示すように、第１支持部２１ａ及び第２支持部２１ｂの底板１４側は、底板対向部２６に接続されている。第１支持部２１ａ及び第２支持部２１ｂの天板１３側は、天板対向部２３に接続されている。
【００５６】
上記構成により、第１支持部２１ａ及び第２支持部２１ｂの上下方向の中央部１０５は、モータ保持部２２を介して接続される。また、第１支持部２１ａ及び第２支持部２１ｂの下端及び上端は、それぞれ底板対向部２６及び天板対向部２３に接続される。これにより、第１支持部２１ａと第２支持部２１ｂとは、その下端、中央部１０５及び上端において互いに安定的に接続される。
【００５７】
第１支持部２１ａと第２支持部２１ｂとは、図３に示すように、ファンモータ台２０の上下方向の中心線Ａ−Ａを中心として対称に形成されている。よって、以下の支持部２１の説明では、第１支持部２１ａを中心として説明し、第２支持部２１ｂの説明は適宜省略する。
【００５８】
図５〜図７に示すように、第１支持部２１ａは、第１平面２１ａ−１及び第２平面２１ａ−２を含む。第１平面２１ａ−１と第２平面２１ａ−２とは、概ねＬ字状をなすように接続されている。第２平面２１ａ−２は、室外ユニット１００の正面視において前側の面である。第２平面２１ａ−２は、前板１１の面に沿っている。第１平面２１ａ−１は、第２平面２１ａ−２から連続して折り曲げられることで形成されている。具体的には、第１平面２１ａ−１は、第２平面２１ａ−２に対して後側に折り曲げられた面であり、第２平面２１ａ−２に概ね直交する面である。第２平面２１ａ−２の上下方向の中央部１０５は、モータ保持部２２に接続されている。
【００５９】
前述の通り、第１平面２１ａ−１と第２平面２１ａ−２とは、互いに折り曲げられることで概ねＬ字状をなしている。よって、Ｌ字状の角部において、第１平面２１ａ−１の上下方向に延びる辺と第２平面２１ａ−２の上下方向に延びる一辺とは一体に接続されている。そして、第１平面２１ａ−１において、第２平面２１ａ−２と接続される辺に対向する辺は自由端１１１（図６）である。よって、第２平面２１ａ−２の自由端１１１は、第２平面２１ａ−２が上下方向に延びるのに沿って上下方向に延びている。
【００６０】
一方、第２平面２１ａ−２において、第１平面２１ａ−１と接続される辺に対向する辺には、図５に示すように、第１内側端面１２１ａ及び第２内側端面１２１ｂが接続されている。第１内側端面１２１ａ及び第２内側端面１２１ｂは、第２平面２１ａ−２から後側に折り曲げられた面である。第１内側端面１２１ａ及び第２内側端面１２１ｂは、第１平面２１ａ−１に概ね平行に対向する。よって、第１支持部２１ａは、第１内側端面１２１ａ及び第２内側端面１２１ｂと、第２平面２１ａ−２と、第１平面２１ａ−１とによって、一辺が開口した矩形状の形状を有している。つまり、第１支持部２１ａは、中央部１０５を除いて、背面側が開口した概ねコの字状の形状を有している。
【００６１】
なお、第１内側端面１２１ａ及び第２内側端面１２１ｂは、図５に示すように、第１空間６１ａ及び第２空間６１ｂに面して形成される面である。ここで、第１空間６１ａ及び第２空間６１ｂは、第１支持部２１ａ、第２支持部２１ｂ、モータ保持部２２、底板対向部２６及び天板対向部２３に囲まれた領域である。第１空間６１ａはモータ保持部２２に対して上方の空間であり、第２空間６１ｂはモータ保持部２２に対して下方の空間である。第１空間６１ａに面して第１内側端面１２１ａが設けられている。また、第２空間６１ｂに面して第２内側端面１２１ｂが設けられている。
【００６２】
図４、図５に示すように、第１支持部２１ａは、モータ保持部２２が前側に突出するように折り曲げられている。具体的には、第１支持部２１ａの上下方向の中央部１０５が、上端部１０１ａ及び下端部１０１ｂよりも前側に隆起している。そのため、上端部１０１ａと中央部１０５とを接続する上傾斜部１０３ａは、上方から下方に向かって前側に傾斜している。また、下端部１０１ｂと中央部１０５とを接続する下傾斜部１０３ｂは、下方から上方に向かって前側に傾斜している。なお、中央部１０５、上端部１０１ａ及び下端部１０１ｂは概ね鉛直方向、つまり上下方向に延びている。また、中央部１０５はモータ保持部２２に対応する部分である。よって、第１支持部２１ａは、中央部１０５においてモータ保持部２２と接続されている。第１支持部２１ａの中央部１０５が上端部１０１ａ及び下端部１０１ｂよりも前側に突出しているため、ファン１５が前側に突出するように取り付けられる。ここで、ファン１５による送風性能を向上するため、ファン１５のファン翼１５ａの奥行きが大きく形成される。つまり、ファン翼１５ａは、室外ユニット１００の背面側に向かって延びるように形成される。上記の構成によれば、ファン１５が前側に突出するようにファンモータ台２０に取り付けられるため、ファンモータ台２０とファン翼１５ａとの接触を回避することができる。
【００６３】
（ｂ）切り欠き縁１０７
図４〜図７に示すように、第１支持部２１ａの第１平面２１ａ−１は、その表面に直交する方向視において、曲げ部分１０４ａを含む。曲げ部分１０４ａは、モータ保持部２２の近傍に形成されている。より具体的には、曲げ部分１０４ａは、上傾斜部１０３ａと中央部１０５との境界近傍に形成されている。曲げ部分１０４ａは、切り欠き縁１０７ａを有している。切り欠き縁１０７ａは、曲げ部分１０４ａのうち、曲げる際に圧縮応力が作用する側が切り欠かれるように形成されている。曲げる際に圧縮応力が作用する側とは、第１平面２１ａ−１が１８０°よりも小さく曲がる側である。よって、切り欠き縁１０７ａは、図６に示すように曲げ部分１０４ａにおいて、第１平面２１ａ−１の自由端１１１に形成されている。ここで、切り欠き縁１０７ａは、第１支持部２１ａを折り曲げて曲げ部分１０４ａを形成する前に、予め形成されている。このとき、切り欠き縁１０７ａは、図７に示すように、半径Ｒの円の円弧に沿っている。半径Ｒの円は、点Ｏを中心とする円である。よって、切り欠き縁１０７ａは、点Ｏと中心とする円の円周の一部に沿っている。さらに、点Ｏを中心とする円の半径Ｒは、第１平面２１ａ−１の幅寸法Ｌよりも大きい（Ｒ＞Ｌ）。
【００６４】
第１平面２１ａ−１に曲げ部分１０４ａが形成される際には、曲げ部分１０４ａの内側に圧縮応力が掛かる。より具体的には、圧縮応力は、真っ直ぐな第１平面２１ａ−１が曲げられる際に、第１平面２１ａ−１が１８０°よりも小さく曲がる側に掛かる。なぜなら、第１平面２１ａ−１が縮む側に、第１平面２１ａ−１を圧縮しようとする力が加わるからである。逆に、第１平面２１ａ−１が１８０°よりも大きく曲がる側には、第１平面２１ａ−１が延びる方向に力が掛かる。
【００６５】
第１平面２１ａ−１は、この曲げる際に圧縮応力が作用する側、ここでは曲げ部分１０４ａにおける自由端１１１において、第１平面２１ａ−１を切り欠いた切り欠き縁１０７ａを有している。特に、切り欠き縁１０７ａは、第１平面２１ａ−１の幅寸法Ｌよりも大きい半径Ｒの円弧に沿っている（Ｒ＞Ｌ）。なお、第１平面２１ａ−１を切り欠いて切り欠き縁１０７ａを形成する工程は、第１平面２１ａ−１を曲げる工程よりも先に行われている。そのため、第１平面２１ａ−１を折り曲げて曲げ部分１０４ａを形成する場合、折り曲げによる圧縮応力を円弧状の切り欠き縁１０７ａによって分散することができる。これにより、ファンモータ台２０の強度を向上することができる。また、曲げ部分１０４ａにおいて切り欠かれているため、折り曲げによるシワ、突出の発生を抑制できる。よって、折り曲げによって発生する突起やシワにより金型が損傷するのを抑制し、金型の寿命を長くできる。
【００６６】
なお、円弧の切り欠き縁１０７ａには、多角形形状であり、概ね円弧状である切り欠き縁も含まれる。また、円弧の切り欠き縁１０７ａには、少なくとも一部が円弧状の切り欠き縁を含まれる。例えば、円弧の切り欠き縁１０７ａには、直線と円弧との組み合わせも含まれる。
【００６７】
ここで、切り欠き縁１０７ａの円弧の半径Ｒは、第１支持部２１ａの第１平面２１ａ−１の幅寸法Ｌの１．２倍以上であると好ましい（Ｒ≧１．２Ｌ）。切り欠き縁１０７ａの円弧の半径Ｒを大きくすることで、曲げ加工時において、切り欠き縁１０７ａにおける圧縮応力をより分散させることができる。
【００６８】
ここで、切り欠き縁１０７ａの円弧の半径Ｒは、第１平面２１ａ−１の幅寸法Ｌの１．５倍以下であると好ましい（Ｒ≦１．５Ｌ）。切り欠き縁１０７ａの円弧の半径Ｒを大きくしすぎると、第１平面２１ａ−１が切り欠かれる大きさが大きくなる。よって、第１平面２１ａ−１の強度の低下が問題となる。切り欠き縁１０７ａの円弧の半径Ｒを第１平面２１ａ−１の幅寸法Ｌの１．５倍以下とすることで、第１平面２１ａ−１の強度の低下を抑制することができる。
【００６９】
ここで、図７に示すように、切り欠き縁１０７ａの円弧の中心Ｏは、第１平面２１ａ−１の外に位置していると好ましい。つまり、第１平面２１ａ−１の外に位置する点Ｏを中心とする円の一部が、切り欠き縁１０７ａを形成している。第１平面２１ａ−１内に点Ｏが位置する場合よりも、第１平面２１ａ−１外に点Ｏが位置する場合の方が、曲げ部分１０４ａになだらかな円弧状の切り欠き縁１０７ａが形成される。よって、曲げ加工時において、なだらかな円弧状の切り欠き縁１０７ａによって、圧縮応力をより分散させることができる。
【００７０】
ここで、図７に示すように、切り欠き縁１０７ａと、切り欠き縁１０７ａに対向する第１平面２１ａ−１の辺との間の最短距離Ｄは、第１平面２１ａ−１の幅寸法Ｌの１／２〜３／４であると好ましい。これにより、第１平面２１ａ−１の幅をある程度残して強度を高めつつ、曲げ部分１０４ａを形成する際の圧縮応力を分散することができる。
【００７１】
なお、点Ｏを中心とする円の半径Ｒとしては、例えば３０ｍｍが挙げられる。また、第１平面２１ａ−１の幅寸法Ｌとしては、例えば２０ｍｍが挙げられる。
【００７２】
ここで、切り欠き縁１０７ａは、曲げ部分１０４ａにおいて、第１平面２１ａ−１の自由端１１１に形成されていると好ましい。自由端１１１を円弧状に切り欠けばよいので、切り欠く際に邪魔になる部材がなく、切り欠き縁１０７ａを容易に形成できる。
【００７３】
ここで、切り欠き縁１０７ａには、図７に示すように、絞り１０９が形成されていると好ましい。絞り１０９は、例えば図７のように第１平面２１ａ−１の底面から、ファンモータ台２０の外側に向かって膨らみを有するように形成されている。つまり、絞り１０９は、第１平面２１ａ−１の底面から右方に突出するように形成されている。特に、図７の例では、絞りは、例えば第１平面２１ａ−１の底面から階段状に盛り上がるように形成されている。なお、絞り１０９は、第１平面２１ａ−１の底面から、ファンモータ台２０の内側に向かって凹むように形成されていてもよい。このとき、絞りは、階段状に盛り下がるように形成されていてもよい。このような絞り１０９が形成されることで、切り欠き縁１０７ａが平面の場合よりも第１平面２１ａ−１の強度を高めることができる。また、絞り１０９は、第１平面２１ａ−１の底面から曲面状に盛り上がるように、又は曲面状に盛り下がるように形成されていてもよい。絞り１０９の第１平面２１ａ−１の底面からの高さＨとしては、例えば１〜２ｍｍが挙げられる。
【００７４】
なお、図４、図５に示すように、第１支持部２１ａの第１平面２１ａ−１は、モータ保持部２２の近傍において、曲げ部分１０４ａの下方にさらに曲げ部分１０４ｂを含む。曲げ部分１０４ｂは、下傾斜部１０３ｂと中央部１０５との境界近傍に形成されている。この曲げ部分１０４ｂにも、切り欠き縁１０７ａと同様の切り欠き縁１０７ｂが形成されている。さらに、第２支持部２１ｂにも同様に切り欠き縁が形成されている。よって、第１支持部２１ａ及び第２支持部２１ｂには、モータ保持部２２の上下４箇所の曲げ部分に切り欠き縁が形成されている。これらの曲げ部分の切り欠き縁によって、上記の通りファンモータ台２０の強度を向上することができる。
【００７５】
（ｃ）支持膨出部１３１
図５、図７に示すように、第１支持部２１ａの第２平面２１ａ−２には、天板１３から底板１４に向かって延びる支持膨出部１３１を有していてもよい。支持膨出部１３１は、例えば、第２平面２１ａ−２の底面から盛り上がるように膨らんだ部分である。同様に、第２支持部２１ｂの第２平面にも同様に支持膨出部が設けられていてもよい。支持膨出部１３１によって、支持部２１の強度を高めることができる。
【００７６】
（２−２）モータ保持部２２
図２、図３、図５に示すように、モータ保持部２２は、概ね平板状であり、その平面は前板１１の面と概ね平行である。モータ保持部２２は、ファンモータ台２０の上下方向の概ね中央部１０５に設けられている。そして、モータ保持部２２は、支持部２１に挟み込まれるように、支持部２１の上下方向の中央部１０５に設けられている。そして、モータ保持部２２は、第１支持部２１ａの左側と第２支持部２１ｂの右側との間に位置するように、第１支持部２１ａ及び第２支持部２１ｂに接続されている。このとき、第１支持部２１ａの第２平面２１ａ−２に連続するようにモータ保持部２２が接続されている。特に、モータ保持部２２は、第１支持部２１ａの中央部１０５において、第２平面２１ａ−２と接続されている。同様に、モータ保持部２２は、第２支持部２１ｂの中央部１０５において、第２平面と接続されている。
【００７７】
モータ保持部２２は、その平面の中央部にモータ挿入孔２２ａが設けられている。モータ挿入孔２２ａは、駆動モータ１６に対応した形状を有している。例えば、モータ挿入孔２２ａは概ね円形状を有している。
【００７８】
（２−３）天板対向部２３
図５に示すように、支持部２１の上方には、天板対向部２３が設けられている。より具体的には、天板対向部２３は、第１支持部２１ａの上端と第２支持部２１ｂの上端とを接続するように、第１支持部２１ａ及び第２支持部２１ｂ上に設けられている。
【００７９】
天板対向部２３は、天板１３と対向する部分である。また、天板対向部２３は、ファンモータ台２０を構成する部材のうち、最も天板１３に近接又は接触する部材の一つである。天板対向部２３は概ね平板状である。
【００８０】
天板対向部２３は、例えば、支持部２１に対して概ね９０°で折り曲げられるように形成される。
【００８１】
なお、天板対向部２３の平面は、天板膨出部１３３を有していてもよい。天板膨出部１３３は、図５に示すように、天板対向部２３の底面から盛り上がるように膨らんだ部分である。天板膨出部１３３は、例えば天板対向部２３の概ね全面に亘って形成されている。例えば、天板膨出部１３３は、第１支持部２１ａ側においては、第１支持部２１ａの第２平面２１ａ−２の端部上から天板対向部２３上に連続して延びるように形成されている。同様に、天板膨出部１３３は、第２支持部２１ｂ側においても、第２支持部２１ｂの端部上から天板対向部２３上に連続して延びるように形成されている。天板対向部２３のうち、第１支持部２１ａと第２支持部２１ｂとの間においては、天板膨出部１３３が連続的に延びるように形成されている。つまり、天板膨出部１３３は、第１支持部２１ａ側の天板膨出部１３３から第２支持部２１ｂ側の天板膨出部１３３にかけて延びている。また、天板膨出部１３３は、天板対向部２３上から接触部２４上にかけても延びるように形成されている。さらに、天板対向部２３の天板膨出部１３３は、後述の前延長部２５の前延長膨出部１３５と連結されている。このような天板膨出部１３３によって、天板対向部２３の強度を高めることができる。また、天板１３に荷重が掛かった場合、天板１３はまず天板対向部２３の天板膨出部１３３と接触する。天板膨出部１３３は天板１３からの荷重を分散するため、天板１３の変形を抑制することができる。
【００８２】
（２−４）接触部２４
接触部２４は、室外熱交換器３０の上端面及び側面と接触して係止する部材である。
【００８３】
図５に示すように、接触部２４の上下方向の位置は、天板対向部２３の上下方向の位置よりも低い。つまり、接触部２４は、天板対向部２３に対して一段低い位置となるように、天板対向部２３に接続されている。特に、接触部２４は、天板対向部２３の背面、つまり室外熱交換器３０側において、天板対向部２３に接続されている。
【００８４】
天板対向部２３は接触部２４よりも天板１３に近い位置にある。よって、天板１３に荷重が掛かった場合、天板対向部２３は天板１３に加わった荷重を支持する。接触部２４の高さは天板対向部２３よりも一段低いため、天板対向部２３に加わった力が室外熱交換器３０に伝わることを抑制できる。
【００８５】
接触部２４には、前述の通り、天板膨出部１３３が天板対向部２３から延長して形成されている。これにより、天板対向部２３及び接触部２４の強度を高めることができる。
【００８６】
（２−５）前延長部２５
図５に示すように、前延長部２５は、天板対向部２３から前方、つまり前板１１側に向かって延びる平面である。前延長部２５は、第１支持部２１ａの上端と第２支持部２１ｂの上端との間において、天板対向部２３から延びている。
【００８７】
前延長部２５は、天板対向部２３と同様に天板１３と概ね平行に対向する平面である。また、前延長部２５は、ファンモータ台２０を構成する部材のうち、最も天板１３に近接又は接触する部材の一つである。前延長部２５は概ね平板状である。前延長部２５と天板対向部２３とは、概ね同一平面に位置している。
【００８８】
なお、前延長部２５の平面は、前延長膨出部１３５を有していてもよい。前延長膨出部１３５は、図５に示すように、前延長部２５の底面から盛り上がるように膨らんだ部分である。前延長膨出部１３５は、例えば前延長部２５の概ね全面に亘って形成されている。より具体的には、前延長膨出部１３５は、例えば、前延長部２５が延びる方向に沿って長く形成されている。図５の例では、２つの延びる前延長膨出部１３５が形成されている。前述の通り、前延長部２５の前延長膨出部１３５は、天板対向部２３の天板膨出部１３３と一連となるように接続されている。
【００８９】
（２−６）底板対向部２６
図５に示すように、支持部２１の下方には、底板対向部２６が設けられている。より具体的には、底板対向部２６は、第１支持部２１ａの下端と第２支持部２１ｂの下端とを接続するように、第１支持部２１ａ及び第２支持部２１ｂ下方に設けられている。
【００９０】
底板対向部２６は、底板１４と対向する部分である。また、底板対向部２６は、ファンモータ台２０を構成する部材のうち、最も底板１４に近接又は接触する部材である。
【００９１】
（２−７）ファンモータ台２０の一体構造
本実施形態では、ファンモータ台２０は、一枚の平板から、支持部２１、モータ保持部２２、天板対向部２３、接触部２４、前延長部２５及び底板対向部２６が一連一体に形成されている。
【００９２】
例えば、ファンモータ台２０は、１枚の平板において、第１空間６１ａ、第２空間６１ｂ及びモータ挿入孔２２ａ等不要な部分を取り除く。このとき、前延長部２５に対応する部分が残るように第１空間６１ａに対応する部分が取り除かれる。その後、支持部２１において切り欠き縁１０７が形成される。場合によっては、切り欠き縁１０７に絞り１０９が形成される。その後、各部材に折り曲げ加工が行われて、図５に示すファンモータ台２０が形成される。
【００９３】
ファンモータ台２０において上記各部材が一連一体に形成されていると、各部材を互いに接続する工程を省略でき、製造工程を簡略化できる。また、各部材を接続するための部材も省略でき、ファンモータ台２０のコストアップを抑制できる。また、各部材の接続による脆弱性も抑制できる。
【００９４】
また、上記実施形態では、膨出部１３１、１３３，１３５が、天板対向部２３、接触部２４及び前延長部２５において一連に接続されて形成されている。よって、天板対向部２３、接触部２４及び前延長部２５の強度を一体として高めることができる。
【００９５】
（３）特徴
以下では、第１支持部２１ａを中心として説明しているが、第２支持部２１ｂも同様の構成である。
【００９６】
（３−１）
ファンモータ台２０は、モータ保持部２２と、支持部２１と、を備える。モータ保持部２２は、ファン１５の駆動モータ１６を支持する。支持部２１は、モータ保持部２２に接続されて、冷凍装置ユニットの底板１４から天板１３に向かって延びる。また、支持部２１は、平板状の第１平面２１ａ−１を有する。第１平面２１ａ−１は、モータ保持部２２の近傍において、その表面に直交する方向視において曲げられた曲げ部分１０４ａを含む。曲げ部分１０４ａは、曲げる際に圧縮応力が作用する側が予め切り欠かれた切り欠き縁１０７ａを有している。切り欠き縁１０７ａは、第１平面２１ａ−１の幅寸法Ｌよりも大きい半径Ｒの円弧に沿っている。
【００９７】
上記のファンモータ台２０は、例えば給湯器及び空調室外機などの冷凍装置ユニットに設けられている。ファンモータ台２０には、冷凍装置ユニットの内部から外部に向かって空気流を生成するファン１５が取り付けられる。ファンモータ台２０は、モータ保持部２２と、モータ保持部２２に接続された支持部２１とを有する。モータ保持部２２は、ファン１５の駆動モータ１６を保持する部分であり、例えば支持部２１の上下方向の中央部１０５に設けられている。支持部２１は、モータ保持部２２から底板１４及び天板１３に向かって延びている。支持部２１は第１平面２１ａ−１を有している。この第１平面２１ａ−１は、第１平面２１ａ−１の表面に直交する方向から見た場合に、つまりファンモータ台２０の側面視において、曲げ部分１０４ａを有している。
【００９８】
第１平面２１ａ−１に曲げ部分１０４ａが形成される際には、曲げ部分１０４ａの内側に圧縮応力が掛かる。より具体的には、圧縮応力は、真っ直ぐな第１平面２１ａ−１が曲げられる際に、第１平面２１ａ−１が１８０°よりも小さく曲がる側に掛かる。なぜなら、第１平面２１ａ−１が縮む側に、第１平面２１ａ−１を圧縮しようとする力が加わるからである。逆に、第１平面２１ａ−１が１８０°よりも大きく曲がる側には、第１平面２１ａ−１が延びる方向に力が掛かる。
【００９９】
第１平面２１ａ−１は、この曲げる際に圧縮応力が作用する側において、第１平面２１ａ−１を切り欠いた切り欠き縁１０７ａを有している。特に、切り欠き縁１０７ａは、第１平面２１ａ−１の幅寸法Ｌよりも大きい半径Ｒの円弧に沿っている（切り欠き縁１０７ａの円弧の半径Ｒ＞第１平面２１ａ−１の幅寸法Ｌ）。なお、第１平面２１ａ−１を切り欠いて切り欠き縁１０７ａを形成する工程は、第１平面２１ａ−１を曲げる工程よりも先に行われている。そのため、第１平面２１ａ−１を曲げて曲げ部分１０４ａを形成する場合、圧縮応力を円弧状の切り欠き縁１０７ａによって分散することができる。これにより、ファンモータ台２０の強度を向上することができる。また、曲げ部分１０４ａにおいて切り欠かれているため、折り曲げによるシワ、突出の発生を抑制できる。よって、折り曲げによって発生する突起やシワにより金型が損傷するのを抑制し、金型の寿命を長くできる。
【０１００】
なお、円弧の切り欠き縁１０７ａには、多角形形状であり、概ね円弧状である切り欠き縁１０７ａも含まれる。また、円弧の切り欠き縁１０７ａには、少なくとも一部が円弧状の切り欠き縁１０７ａを含まれる。例えば、円弧の切り欠き縁１０７ａには、直線と円弧との組み合わせも含まれる。
【０１０１】
（３−２）
ファンモータ台２０において、切り欠き縁１０７ａの円弧の半径Ｒは、第１平面２１ａ−１の幅寸法Ｌの１．２倍以上である。
【０１０２】
切り欠き縁１０７ａの円弧の半径Ｒを大きくすることで、曲げ加工時において、切り欠き縁１０７ａにおける圧縮応力をより分散させることができる。
【０１０３】
（３−３）
ファンモータ台２０において、切り欠き縁１０７ａの円弧の半径Ｒは、第１平面２１ａ−１の幅寸法Ｌの１．５倍以下である。
【０１０４】
切り欠き縁１０７ａの円弧の半径Ｒを大きくしすぎると、第１平面２１ａ−１が切り欠かれる大きさが大きくなる。よって、第１平面２１ａ−１の強度の低下が問題となる。切り欠き縁１０７ａの円弧の半径Ｒを第１平面２１ａ−１の幅寸法Ｌの１．５倍以下とすることで、第１平面２１ａ−１の強度の低下を抑制することができる。
【０１０５】
（３−４）
ファンモータ台２０において、切り欠き縁１０７ａの円弧の中心は、第１平面２１ａ−１の外に位置する。つまり、第１平面２１ａ−１の外に位置する点Ｏを中心とする円の一部が、切り欠き縁１０７ａを形成している。第１平面２１ａ−１内に中心が位置する場合よりも、第１平面２１ａ−１外に中心が位置する場合の方が、曲げ部分１０４ａになだらかな円弧状の切り欠き縁１０７ａが形成される。よって、曲げ加工時において、なだらかな円弧状の切り欠き縁１０７ａによって、圧縮応力をより分散させることができる。
【０１０６】
（３−５）
ファンモータ台２０において、切り欠き縁１０７ａと、切り欠き縁１０７ａに対向する第１平面２１ａ−１の辺との間の最短距離Ｄは、第１平面２１ａ−１の幅寸法Ｌの１／２〜３／４である。
【０１０７】
これにより、第１平面２１ａ−１の幅をある程度残して強度を高めつつ、曲げ部分１０４ａを形成する際の圧縮応力を分散することができる。
【０１０８】
（３−６）
ファンモータ台２０において、支持部２１は、モータ保持部２２の両側において底板１４から天板１３に向かって延びる第１支持部２１ａ及び第２支持部２１ｂを含む。曲げ部分１０４ａは、第１支持部２１ａ及び第２支持部２１ｂにおいて、モータ保持部２２の上下に設けられている。
【０１０９】
上記構成において、モータ保持部２２は、その両側をそれぞれ第１支持部２１ａ及び第２支持部２１ｂにより支持されている。第１支持部２１ａ及び第２支持部２１ｂは、モータ保持部２２の近傍の上下において、曲げ部分１０４ａを有している。つまり、第１支持部２１ａ及び第２支持部２１ｂは、モータ保持部２２の近傍にいてモータ保持部２２が突出するように曲げられている。ファン１５は、突出したモータ保持部２２に取り付けられる。よって、ファン翼１５ａと、第１支持部２１ａ及び第２支持部２１ｂとの接触を回避することができる。そして、ファン翼１５ａを背面側に延ばして送風性能を向上することができる。
【０１１０】
（３−７）
ファンモータ台２０において、支持部２１は、モータ保持部２２に接続される第２平面２１ａ−２をさらに有する。第１平面２１ａ−１と第２平面２１ａ−２とがＬ字状をなしており、第１平面２１ａ−１の第２平面２１ａ−２と対向する辺は自由端である。ここで、切り欠き縁１０７ａは、第１平面２１ａ−１の自由端１１１に形成されている。
【０１１１】
上記構成において、第１平面２１ａ−１の切り欠き縁１０７ａは、Ｌ字状の支持部２１の自由端１１１に形成されている。自由端１１１を円弧状に切り欠けばよいので、切り欠く際に邪魔になる部材がなく、切り欠き縁１０７ａを容易に形成できる。
【０１１２】
（３−８）
でファンモータ台２０において、切り欠き縁１０７ａには絞り１０９が形成されている。例えば、切り欠き縁１０７ａには、第１平面２１ａ−１の底面から膨らみを有するように絞り１０９が形成されている。絞り１０９は、例えば第１平面２１ａ−１の底面から階段状に盛り上がるように、又は階段状に盛り下がるように形成されている。絞り１０９が形成されることで、切り欠き縁１０７ａが平面の場合よりも第１平面２１ａ−１の強度を高めることができる。また、絞り１０９は、第１平面２１ａ−１の底面から曲面状に盛り上がるように、又は曲面状に盛り下がるように形成されていてもよい。
【０１１３】
（４）変形例
（４−１）変形例１Ａ
上記実施形態では、モータ保持部２２近傍の曲げ部分１０４に、切り欠き縁１０７が形成されている。しかし、切り欠き縁１０７は、圧縮応力が掛かる他の部分に形成されてもよい。例えば、第１支持部２１ａが、上記実施形態で示した曲げ部分１０４ａ、１０４ｂ以外に曲げ部分を有するとする。この別途の曲げ部分は、曲げ部分１０４ａ、１０４ｂと同様に、第１支持部２１ａの側面視において、第１平面２１ａ−１が１８０°よりも小さく曲がる側に位置する。この別途の曲げ部分においても、切り欠き縁が形成されてもよい。この切り欠き縁により、曲げ加工時のファンモータ台の強度を向上することができる。
【０１１４】
（４−２）変形例１Ｂ
上記実施形態のファンモータ台２０では、支持部２１、モータ保持部２２、天板対向部２３、接触部２４、前延長部２５及び底板対向部２６が一体に形成されている。しかし、一連の支持部２１において曲げ加工の際の圧縮応力を切り欠き縁１０７により分散出来ればよく、前述の全ての部材が一体に形成されている必要はない。よって、各部材は別体で形成され、それぞれが組み合わされてもよい。例えば、天板対向部２３、接触部２４、前延長部２５及び底板対向部２６は、支持部２１と別体として形成され、支持部２１に取り付けられてもよい。
【０１１５】
ただし、ファンモータ台２０において上記各部材が一体に形成されていると、製造工程を簡略化でき、コストアップを抑制でき、各部材の接続による脆弱性も抑制できる。
【０１１６】
（４−３）変形例１Ｃ
上記実施形態では、支持部２１、天板対向部２３、接触部２４及び前延長部２５に、膨出部１３１、１３３、１３５が設けられている。しかし、膨出部１３１、１３３、１３５は必須の構成要素ではない。ただし、ファンモータ台２０の強度を向上し、天板１３の変形の変形を抑制するためには、膨出部１３１、１３３、１３５が設けられているのが好ましい。
【０１１７】
なお、上記形態では、膨出部１３１、１３３、１３５は、各平面から盛り上がるように形成されている。しかし、膨出部１３１、１３３、１３５とは異なり、各平面に対して盛り下がるような凹部が形成されていてもよい。
【０１１８】
（４−４）変形例１Ｄ
上記実施形態では、支持部２１の上部には、天板対向部２３及び接触部２４が設けられている。そして、接触部２４は、天板対向部２３に対して一段低い位置となるように、天板対向部２３に接続されている。よって、天板対向部２３と接触部２４とは段差を有している。しかし、天板対向部２３と接触部２４とは同じ高さに形成されていてもよい。
【産業上の利用可能性】
【０１１９】
以上の通り、本発明によれば強度を向上可能なファンモータ台を提供することができるので、ファンを支持するためのファンモータ台を有するあらゆる冷凍装置ユニットに本発明を適用可能である。
【符号の説明】
【０１２０】
１１          前板
１３          天板
１４          底板
１５          ファン
１５ａ        ファン翼
１６          駆動モータ
２０          ファンモータ台
２１          支持部
２１ａ        第１支持部
２１ｂ        第２支持部
２１ａ−１    第１平面
２１ａ−２    第２平面
２２          モータ保持部
２３          天板対向部
２４          接触部
２５          前延長部
２６          底板対向部
３０          室外熱交換器
１００        室外ユニット（冷凍装置ユニット）
１０１ａ      上端部
１０１ｂ      下端部
１０３ａ      上傾斜部
１０３ｂ      下傾斜部
１０４ａ      曲げ部分
１０５        中央部
１０７ａ      切り欠き縁
１０９        絞り
１１１        自由端
【先行技術文献】
【特許文献】
【０１２１】
【特許文献１】特開２０１２−１３３９０号公報
【図１】
2016090085.tif 000003
【図２】
2016090085.tif 000004
【図３】
2016090085.tif 000005
【図４】
2016090085.tif 000006
【図５】
2016090085.tif 000007
【図６】
2016090085.tif 000008
【図７】
2016090085.tif 000009